(57)【特許請求の範囲】
【請求項１】
梁組みのネジ鉄筋（８）を鋼管柱（７）又は鉄骨柱（１０）の定着板部（１，１１）に接合する構造であって、あらかじめ、工場等において、前記定着板部に前記ネジ鉄筋と同径又はそれより少し大径のネジ鉄筋通し穴（２，１２）を穿設し、前記ネジ鉄筋通し穴に前記ネジ鉄筋と同径のネジ鉄筋ボルト（３，１３）を通し、前記ネジ鉄筋ボルトの一方の内側となる端部からはネジ鉄筋ロックナット（４，１４）を、他方の外側となる端部からはネジ鉄筋カプラー（５，１５）をそれぞれネジ嵌めして前記定着板部（１，１１）に締め付け固定し、ついで、前記鋼管柱又は前記鉄骨柱をコンクリート打設した施工現場において、前記ネジ鉄筋カプラーに前記ネジ鉄筋（８）をねじ込んで前記鋼管柱又は前記鉄骨柱に接合することを特徴とする鋼管柱又は鉄骨柱と梁鉄筋の接合構造。
【請求項２】
鋼管柱（７）又は鉄骨柱（１０）は、鋼板にネジ鉄筋カプラー（５）を固定してなる定着板部（１）を、形鋼（６）又は平鋼に溶接して形成されることを特徴とする請求項１記載の鋼管柱又は鉄骨柱と梁鉄筋の接合構造。
【請求項３】
定着板部（１，１１）のネジ鉄筋通し穴の近傍に当て金（９）を溶接して穿設による強度低下を補強することを特徴とする請求項１又は２記載の鋼管柱又は鉄骨柱と梁鉄筋の接合構造。
【発明の詳細な説明】
【０００１】
【発明の属する技術分野】
本発明は、鋼管柱又は鉄骨柱と梁鉄筋の接合構造に関する。
【０００２】
【従来の技術】
梁組みの梁鉄筋を鋼管柱又は鉄骨柱に接合する従来の一般的な構造は、梁鉄筋を鋼管柱又は鉄骨柱の外側に配筋して水平ハンチを形成する方式である。しかし、水平ハンチを形成する構造は、型枠が複雑でコストが増大するだけでなく、構造上、適用が困難な場合もある。
【０００３】
水平ハンチを形成しない構造としては、梁鉄筋を柱の手前でＬ型に定着するアンカー方式、鋼管柱又は鉄骨柱に梁鉄筋を溶接する方式、鋼管柱又は鉄骨柱に穿設して梁鉄筋を貫通させる方式が公知である。しかし、手前アンカー方式は鉄筋の耐力が低下するという問題があり、梁鉄筋を溶接する方式は、現場溶接のため、接合の信頼性に問題があり、梁鉄筋を貫通する方式はコンクリート打設が梁の配筋後になるため工期遅延の問題があった。
【０００４】
【発明が解決しようとする課題】
本発明は、上記問題を解決するためになされたものであり、その課題は、水平ハンチを形成せずに梁鉄筋を鋼管柱又は鉄骨柱に接合する構造であって、梁鉄筋の耐力が低下するおそれがなく、梁鉄筋と鋼管柱又は鉄骨柱の接合の信頼性が高く、梁の配筋前に鋼管柱又は鉄骨柱のコンクリート打設が可能な方式を提供することにある。
【０００５】
【課題を解決するための手段】
前記課題を解決するため、本発明が採用する手段は、梁組みの梁鉄筋をネジ鉄筋とし、予め、鋼管柱又は鉄骨柱の梁鉄筋を接合する定着板部に、そのネジ鉄筋と同径又はそれより少し大径のネジ鉄筋通し穴をあけ、そのネジ鉄筋通し穴に梁のネジ鉄筋と同径のネジ鉄筋ボルトを通し、そのネジ鉄筋ボルトの一方の内側となる端部に、ネジ鉄筋ロックナットを、他方の外側となる端部にネジ鉄筋カプラーをそれぞれネジ嵌めし、そのネジ鉄筋ロックナットとネジ鉄筋カプラーを鋼管柱又は鉄骨柱の定着板部に締め付けて鋼管柱又は鉄骨柱に一体に固定し、そのネジ鉄筋カプラーに梁のネジ鉄筋をネジ込んで梁鉄筋を鋼管柱又は鉄骨柱に接合する構造である。必要であれば、梁のネジ鉄筋にロックナットを取り付けておき、そのロックナットをネジカプラーに締め付けて、梁のネジ鉄筋の接合を強固にする。
【０００６】
既製の鋼管柱又は鉄骨柱に直接梁鉄筋を接合する代わりに、鋼管柱又は鉄骨柱の１側面と同形同大の鋼板にネジ鉄筋通し穴を穿設し、そのネジ鉄筋通し穴を介してネジ鉄筋ボルトとネジ鉄筋ロックナットとネジ鉄筋カプラーを鋼板に一体固定し、定着板部を形成し、その定着板部を鋼管柱又は鉄骨柱の他の側面に相応する形鋼又は平鋼に溶接して鋼管柱又は鉄骨柱を製造することも可能である。
【０００７】
鋼管柱又は鉄骨柱に穿設したネジ鉄筋通し穴の近傍に当て金を溶接して鋼管柱又は鉄骨柱のネジ鉄筋通し穴穿設による強度低下を補強することが好ましい。
【０００８】
【発明の実施の形態】
本発明を図面に示す第１実施例に基づいて説明する。
【０００９】
図１は、鋼管柱の製造工程を示す断面図であり、図２は、図１の鋼管柱に梁鉄筋を接合する工程を示す平面図である。
【００１０】
図１（ａ）に示すように、工場において、鋼管柱の梁鉄筋を接合する定着板部１となる鋼板に、梁鉄筋のネジ鉄筋と同形又はそれより少し大きいネジ鉄筋通し穴２を穿設し、そのネジ鉄筋通し穴２に梁鉄筋のネジ鉄筋と同径のネジ鉄筋ボルト３を通す。そのネジ鉄筋ボルト３の一方の鋼管柱の内側となる端部にネジ鉄筋ロックナット４を、他方の鋼管柱の外側となる端部にネジ鉄筋カプラー５をそれぞれねじ嵌めする。
【００１１】
ついで、図１（ｂ）に示すように、ネジ鉄筋ロックナット４とネジ鉄筋カプラー５を定着板部１を狭持するように締め付け、定着板部１にネジ鉄筋ボルト３とネジ鉄筋ロックナット４とネジ鉄筋カプラー５を一体に固定する。定着板部１のネジ鉄筋通し穴２の内外両面に環状の当て金９を溶接してネジ鉄筋通し穴２穿設による定着板部１の強度低下を補強する。
【００１２】
次に、図１（ｃ）に示すように、定着板部１をチャンネル状の形鋼６に溶接して鋼管柱７を製造する。
【００１３】
製造した鋼板柱７は、図２（ａ）に示すように、施工現場において、コンクリート打設により立設される。ついで、梁用ネジ鉄筋８，８を鋼管柱７に固定したネジ鉄筋カプラー５，５にねじ込み、図２（ｂ）に示すように、ネジ鉄筋カプラー５，５を介して梁組みのネジ鉄筋８，８を鋼管柱７に接合する。鋼管柱７は当て金９により補強されているから、ネジ鉄筋通し穴により強度が低下するおそれはない。
【００１４】
この実施例の鋼管柱に梁鉄筋を接合する構造は、梁鉄筋の径を落とす必要がないから、梁鉄筋は所望の耐力を有し、現場施工は、梁組みのネジ鉄筋８をネジ鉄筋カプラー５にねじ込むだけであり、現場に溶接技術者を配置する必要はないから、施工は容易かつ迅速であり、コストは大幅に低下する。
【００１５】
【実施例】
次に、第２実施例を図面に基づいて説明する。
【００１６】
図３（ａ）に示すように、予め工場において鉄骨柱１０の梁組みネジ鉄筋を接合する定着板部１１にネジ鉄筋通し穴１２を穿設し、そのネジ鉄筋穴１２にネジ鉄筋ボルト１３を通し、そのネジ鉄筋ボルト１３の内端側にネジ鉄筋ロックナット１４を、外端側にネジ鉄筋カプラー１５をそれぞれはめて定着板部１１に締め付け、図３（ｂ）に示すように、ネジ鉄筋ボルト１３とネジ鉄筋ロックナット１４とネジ鉄筋カプラー１５を鉄骨柱１０に一体に固定する。
【００１７】
図４に示すように、施工現場において、コンクリート打設して鉄骨柱１０を立設する。ついで、梁組みのネジ鉄筋８，８を鉄骨柱１０に固定したネジ鉄筋カプラー１５，１５にねじ込んで接合する。さらに、あらかじめ、ネジ鉄筋８，８に取り付けておいたロックナット１６，１６をネジ鉄筋カプラー１５，１５に締め付けてネジ鉄筋８，８の接合を強固にする。
【００１８】
上記以外の構成及び効果は、第１実施例と同じである。
【００１９】
【発明の効果】
上記のとおり、水平ハンチを形成せずに梁組みの鉄筋を鋼管柱又は鉄骨柱に接合する従来の構造は、鉄筋をＬ型にして定着するため、梁鉄筋の耐力が低下するアンカー方式、又は鉄筋を施工現場で溶接するため、接合の信頼性に欠ける溶接方式、コンクリート打設が梁鉄筋の貫通後となるため、工期遅延が生じやすい貫通方式のいずれかであった。しかし、本発明の構造は、梁組みの鉄筋を所望の耐力を有するネジ鉄筋とし、工場等においてあらかじめ鋼管柱又は鉄骨柱にネジ鉄筋カプラーを固定し、施工現場においては、コンクリート打設した鋼管柱又は鉄骨柱に固定したネジ鉄筋カプラーにネジ鉄筋をねじ込んで接合する方式であるから、接合の信頼性は高く、梁鉄筋の耐力が低下するおそれも、工期が遅延するおそれもない。したがって、本発明の水平ハンチを形成せずに、梁鉄筋を鋼管柱又は鉄骨柱に接合する構造は施工コストを大幅に低減させることができるという優れた効果を奏する。
【図面の簡単な説明】
【図１】本発明の第１実施例の鋼管柱の製造工程を示す断面図であり、（ａ）は鋼板の定着板部にネジ鉄筋通し穴を穿設した状態を、（ｂ）は鋼板の定着板部にネジ鉄筋ボルト、ネジ鉄筋ロックナット、ネジ鉄筋カプラーを一体固定した状態を、（ｃ）は鋼板の定着板部を形鋼に溶接して鋼管柱とした状態をそれぞれ示す。
【図２】図１の鋼管柱に梁組みのネジ鉄筋を接合する工程を示す平面図であり、（ａ）はコンクリート打設した鋼管柱を、（ｂ）は鋼管柱に梁組みのネジ鉄筋をねじ込んで接合した状態をそれぞれ示す。
【図３】第２実施例の鉄骨柱の断面図であり、（ａ）は定着板部にネジ鉄筋通し穴を穿設した状態を、（ｂ）は定着板部の鋼板にネジ鉄筋ボルト、ネジ鉄筋ロックナット、ネジ鉄筋カプラーを一体固定した状態をそれぞれ示す。
【図４】第２実施例の鉄骨柱に梁組みネジ鉄筋を接合した状態を示す平面図、
【符号の説明】
１：定着板部
２，１２：ネジ鉄筋通し穴
３，１３：ネジ鉄筋ボルト
４，１４：ネジ鉄筋ロックナット
５，１５：ネジ鉄筋カプラー
６：形鋼
７：鋼管柱
８：ネジ鉄筋
９：当て金
１０：鉄骨柱
１１：定着板部
１６：ロックナット
【図１】
0004653353.tif 000002
【図２】
0004653353.tif 000003
【図３】
0004653353.tif 000004
【図４】
0004653353.tif 000005